(57)【要約】【課題】簡単な構成で、ゴミによる画像不良を防止しつつ、小型化を損なわない固体撮像装置を提供する。【解決手段】カメラモジュール１００は、被写体像を形成するレンズユニット４の底部に、レンズホルダ３との接触部Ｃよりも外側に延設されたフランジ部４３を備えている。レンズホルダ３とレンズユニット４との接触により生じたゴミＤは、フランジ部４３に溜まるため、ゴミＤによる画像不良を防止することができる。【選択図】図１
2009145598.tif 000002
【特許請求の範囲】
【請求項１】
被写体像を形成するレンズユニットと、
レンズユニットにより形成された被写体像を電気信号に変換する固体撮像素子と、
レンズユニットを内部に保持するとともに、固体撮像素子を内部に収容するレンズホルダとを備え、
レンズユニットの外側面とレンズホルダの内側面とが互いに接触しており、レンズユニットがレンズホルダの内側面に沿って移動できる固体撮像装置において、
レンズユニットは、底部に、レンズホルダとの接触部よりも外側に延設されたフランジ部を備えることを特徴とする固体撮像装置。
【請求項２】
上記フランジ部は、レンズホルダとの対向面に、レンズホルダ側に突起した突起部を有することを特徴とする請求項１に記載の固体撮像装置。
【請求項３】
上記突起部は、フランジ部の外縁部に形成されていることを特徴とする請求項２に記載の固体撮像装置。
【請求項４】
上記フランジ部は、レンズホルダとの対向面に、粘着材が塗布されていることを特徴とする請求項１〜３のいずれか１項に記載の固体撮像装置。
【請求項５】
上記レンズホルダは、フランジ部との対向面に、フランジ部側に突出した突出部を有することを特徴とする請求項１〜４のいずれか１項に記載の固体撮像装置。
【請求項６】
上記フランジ部の裏面に、固体撮像素子の受光部を覆ように、透光性部材が設けられていることを特徴とする請求項１〜５のいずれか１項に記載の固体撮像装置。
【請求項７】
上記固体撮像素子上に、固体撮像素子の受光部を覆い、受光部との間に間隔を有して、透光性部材が設けられていることを特徴とする請求項１〜５のいずれか１項に記載の固体撮像装置。
【請求項８】
請求項１〜７のいずれか１項に記載の固体撮像装置を備えた電子機器。
【発明の詳細な説明】
【技術分野】
【０００１】
本発明は、光路上へのゴミの付着を防ぐ固体撮像装置およびその固体撮像装置を備えたに電子機器に関する。
【背景技術】
【０００２】
カメラ付携帯電話等の電子機器（携帯用端末）は、カメラモジュール（固体撮像装置）を備えている。図５は、カメラモジュールの断面図である。図５のように、カメラモジュール２００は、配線基板２０１上に、ＣＣＤやＣＭＯＳなどの半導体イメージセンサからなる固体撮像素子２０２と、固体撮像素子２０２から出力される画像データを処理する機能を持ったＤＳＰ２０５とが実装されている。さらに、配線基板２０１上には、固体撮像素子２０２を内部に収容するレンズホルダ２０３が実装されている。このレンズホルダ２０３は、固体撮像素子２０２の受光領域に像を結ぶための光学レンズ２１４を組み合わせたレンズユニット２０４を、内部に保持している。また、レンズホルダ２０３は、固体撮像素子２０２との対向面に、ガラス２０６を備えている。
【０００３】
このようなカメラモジュール２００を組み立てる際には、ピントを合わせるため、レンズユニット２０４が備えるレンズの位置を調整する必要がある。レンズホルダ２０３とレンズユニット２０４との接触部Ｃ（図５の破線部）には、それぞれ、ねじ切りが施されている。つまり、レンズホルダ２０３の内側面と、レンズユニット２０４の外側面とが、互いに螺合するようになっている。これにより、レンズホルダ２０３の内側面に沿って、レンズユニット２０４を上下動させて、ピントを合わせることができる。
【０００４】
しかしながら、レンズユニット２０４を上下動させると、レンズホルダ２０３とレンズユニット２０４との摩擦するため、微細なゴミ（異物）Ｄが発生する。このゴミ（異物）Ｄの種類は、最初からレンズホルダ２０３に付着していたもの、および、レンズホルダ２０３自体（レンズホルダ２０３の一部が削れたもの）などに分類される。
【０００５】
カメラモジュール２００では、このようなゴミＤが落下すると、光路上（例えばガラス２０６上）に留まる可能性がある。ガラス２０６上のゴミは、固体撮像素子２０２上に影を落とし、出力画像に黒色の点やシミとして映し出されてしまい、カメラモジュール２００の歩留まりの低下および信頼性の低下につながる。つまり、光路上のゴミＤは、画像不良の原因となる。
【０００６】
そこで、特許文献１には、光路上へのゴミの落下を防止するカメラモジュールが記載されている。図６は、特許文献１のカメラモジュール３００の断面図である。カメラモジュール３００は、レンズホルダ３０３に特徴があり、レンズホルダ３０３とレンズユニット３０４との接触状態が、カメラモジュール２００と大きく異なる。すなわち、カメラモジュール３００では、レンズホルダ３０３が、円筒部３０３ａを有している。そして、図６の破線で示すように、この円筒部３０３ａの外周側（外側面）が、レンズユニット３０４に当接している。具体的には、レンズユニット３０４には案内溝３０４ａが形成されており、この案内溝３０４ａにレンズホルダ３０３の円筒部３０３ａが挿入される。これにより、レンズホルダ３０３とレンズユニット３０４との接触部Ｃで発生するゴミＤは、レンズホルダ３０３の外側に逃げる。従って、光路上（例えば、ガラス３０６上）へのゴミＤの侵入を防止することができる。
【特許文献１】特開２００５−２０８３７７号公報（２００５年８月４日公開）
【発明の開示】
【発明が解決しようとする課題】
【０００７】
しかしながら、特許文献１の構成では、レンズユニットの形状が複雑になる上、固体撮像装置の小型化に対応できないという問題がある。
【０００８】
具体的には、図６のカメラモジュール３００は、案内溝３０４ａを形成するために、レンズユニット３０４の側面を二重構造にする必要がある。このため、レンズユニット３０４の形状が複雑になる。その結果、金型成型によるレンズユニット３０４の形成が困難になる。
【０００９】
しかも、レンズユニット３０４の側面を二重構造にし、レンズユニット３０４がレンズホルダ３０３（円筒部３０３ａ）の外側面と接触した構成であると、レンズユニット３０４のサイズがレンズホルダ３０３のサイズよりも大きくなってしまう。このため、今後益々加速する固体撮像装置の小型化に対応することができない。
【００１０】
そこで、本発明は、上記の課題に鑑みてなされたものであり、その目的は、簡単な構成で、ゴミによる画像不良を防止しつつ、小型化を損なわない固体撮像装置とその固体撮像装置を備えた電子機器を提供することにある。
【課題を解決するための手段】
【００１１】
本発明の固体撮像装置は、上記の課題を解決するために、被写体像を形成するレンズユニットと、
レンズユニットにより形成された被写体像を電気信号に変換する固体撮像素子と、
レンズユニットを内部に保持するとともに、固体撮像素子を内部に収容するレンズホルダとを備え、
レンズユニットの外側面とレンズホルダの内側面とが互いに接触しており、レンズユニットがレンズホルダの内側面に沿って移動できる固体撮像装置において、
レンズユニットは、底部に、レンズホルダとの接触部よりも外側に延設されたフランジ部を備えることを特徴としている。
【００１２】
上記の発明によれば、レンズユニットの底部に、フランジ部が形成されている。このフランジ部は、レンズホルダとの接触部よりも外側に延設された部分である。つまり、フランジ部は、光路から離れていることになる。これにより、レンズユニットとレンズホルダとが互いに接触して生じたゴミは、光路から離れたフランジ部上（つまり、フランジ部におけるレンズホルダとの対向面）に溜まる。つまり、そのごみの光路へ侵入を防ぐことができる。従って、ゴミによる画像不良を防止することができる。
【００１３】
さらに、上記の発明によれば、レンズユニットの外側面とレンズホルダの内側面とが互いに接触する。このため、特許文献１の固体撮像装置のように、レンズユニットの形状が複雑にならない。従って、ゴミ対策を行うためのレンズユニットの構成を簡素化することができる。
【００１４】
また、上記の発明によれば、レンズユニットが、レンズホルダ３の内部に保持される。このため、レンズユニットのサイズが、レンズホルダのサイズよりも大きくなることはない。従って、固体撮像装置の小型化を損なうこともない。
【００１５】
このように、本発明によれば、簡単な構成のレンズユニットにより、ゴミによる画像不良を防止しつつ、小型化を損なわない固体撮像装置を提供することができる。
【００１６】
なお、「レンズユニットがレンズホルダの内側面に沿って移動できる」とは、固定焦点型の固体撮像装置におけるピント合わせのためのレンズユニットの移動だけでなく、オートフォーカス機能やマクロ機能など焦点距離が変動する固体撮像装置におけるレンズユニットの移動も示している。
【００１７】
本発明の固体撮像装置では、上記フランジ部は、レンズホルダとの対向面に、レンズホルダ側に突起した突起部を有することが好ましい。
【００１８】
上記の発明によれば、フランジ部が、ゴミが溜まるレンズホルダとの対向面に、レンズホルダ側に突起した突起部を有している。フランジ部におけるレンズホルダとの対向面は、ゴミの移動経路となる。この移動経路上に、突起部が形成されている。これにより、ゴミの移動経路の形状が、複雑になる。従って、フランジ部に溜まったゴミが、フランジ部から落下するのを防ぐことができる。言い換えれば、フランジ部に形成された突起部は、フランジ部からのゴミの落下を防ぐための堰として機能する。
【００１９】
本発明の固体撮像装置では、上記突起部は、フランジ部の外縁部に形成されていることが好ましい。
【００２０】
上記の発明によれば、フランジ部の外縁部（外周部）に、突起部が形成されている。これにより、フランジ部からゴミが落下する直前で、ゴミの落下を防ぐことができる。
【００２１】
本発明の固体撮像装置では、上記フランジ部は、レンズホルダとの対向面に、粘着材が塗布されていることが好ましい。
【００２２】
上記の発明によれば、フランジ部のゴミが溜まる面に、粘着材が塗布されている。これにより、フランジ部に溜まったゴミを、その粘着材に付着させることができる。このため、フランジ部に、確実にゴミを溜めることができる。従って、ゴミによる画像不良を、長期的に防止することができる。
【００２３】
本発明の固体撮像装置では、上記レンズホルダは、フランジ部との対向面に、フランジ部側に突出した突出部を有することが好ましい。
【００２４】
上記の発明によれば、レンズホルダが、フランジ部との対向面に、フランジ部側に突出した突出部を有している。つまり、レンズホルダには、ゴミの移動経路に向かって、突出部が形成されている。これにより、レンズユニットに突起部を形成した場合と同様に、ゴミの移動経路の形状が、複雑になる。従って、フランジ部に溜まったゴミが、フランジ部から落下するのを防ぐことができる。
【００２５】
本発明の固体撮像装置では、上記フランジ部の裏面に、固体撮像素子の受光部を覆ように、透光性部材が設けられている構成であってもよい。
【００２６】
上記の発明によれば、フランジ部の裏面に透光性部材が設けられているため、透光性部材へのゴミの付着を防止することができる。
【００２７】
本発明の固体撮像装置では、上記固体撮像素子上に、固体撮像素子の受光部を覆い、受光部との間に間隔を有して、透光性部材が設けられている構成であってもよい。
【００２８】
上記の発明によれば、固体撮像素子の受光部が、透光性部材によって覆われる。これにより、固体撮像素子の受光部が露出されない。従って、固体撮像素子の受光部へのゴミの侵入を防ぐことができる。
【００２９】
本発明の電子機器は、上記の課題を解決するために、前記いずれかの固体撮像装置を備えることを特徴としている。従って、簡単な構成のレンズユニットにより、ゴミによる画像不良を防止しつつ、小型化を損なわない電子機器を提供することができる。
【発明の効果】
【００３０】
本発明の固体撮像装置は、以上のように、レンズユニットの底部に、レンズホルダとの接触部よりも外側に延設されたフランジ部を備える構成である。それゆえ、簡単な構成のレンズユニットにより、ゴミによる画像不良を防止しつつ、小型化を損なわない固体撮像装置を提供することができるという効果を奏する。
【発明を実施するための最良の形態】
【００３１】
以下、本発明の実施の一形態について、図１〜図４に基づいて説明する。
【００３２】
本発明の固体撮像装置は、レンズユニットの底部にゴミを溜め、光路上へのゴミの付着を防ぐことによって、画像不良を軽減することを特徴とする。
【００３３】
本発明の固体撮像装置は、カメラ付き携帯電話，ディジタルスチルカメラ，セキュリティカメラなどの撮影可能な電子機器に好適である。本実施形態では、カメラ付き携帯電話機に適用されるカメラモジュール（固体撮像装置）について説明する。
【００３４】
図１は、本実施形態のカメラモジュール１００の断面図である。図１のように、カメラモジュール１００は、配線基板１上に、固体撮像素子２およびＤＳＰ５が実装された構成である。さらに、カメラモジュール１００は、固体撮像素子２を内部に収容し、レンズユニット４を内部に保持するレンズホルダ３を備えている。また、レンズユニット４の裏面には、透光性部材６が設けられている。なお、説明の便宜上、配線基板１側（配線基板１に近づく方）を下方、透光性部材６側（配線基板１から離れる方）を上方とする。
【００３５】
具体的には、配線基板１は、固体撮像素子２の電気信号を取り出すものであり、図示しないパターニングされた配線を有する基板である。配線基板１は、この配線によって、配線基板１の中央部に配置された固体撮像素子２と、電気的に接続される。この配線と、固体撮像素子２とは、ボンディングワイヤにより接続されている。これにより、互いに電気信号の送受が可能となっている。配線基板１は、例えば、プリント基板，ガラスエポキシ基板、またはセラミック基板などである。なお、配線基板１は、外部装置と電気的に接続することが可能となっている。
【００３６】
固体撮像素子２は、配線基板１の中央部に配置されており、半導体回路が形成された半導体基板（例えばシリコン単結晶基板）が平面視矩形形状に形成されたものである。固体撮像素子２は、例えば、ＣＣＤ（charge-coupled device）イメージセンサ、ＣＭＯＳ（complementary metal-oxide semiconductor）イメージセンサ、ＶＭＩＳイメージセンサ（Threshold Voltage Modulation Image Sensor）である。固体撮像素子２は、レンズユニット４が形成する被写体像を電気信号に変換するものである。つまり、レンズユニット４から入射された入射光を光電変換するセンサーデバイスである。
【００３７】
固体撮像素子２の表面（上面）には、複数の画素がマトリクス状に配置された受光部２１が形成されている。受光部２１は、固体撮像素子２における有効画素領域（撮像面）である。そして、固体撮像素子２は、受光部２１に結像された被写体像（透光性部材６を透過した光）を、電気信号に変換して、アナログの画像信号として出力する。
【００３８】
ＤＳＰ（digital signal processor）５は、このような固体撮像素子２の信号処理を行う信号処理回路である。ＤＳＰ５は、固体撮像素子２の動作を制御する。ＤＳＰ５は、固体撮像素子２の動作を制御し、固体撮像素子２から出力された信号（画像データ）を適宜処理して必要な信号を生成する制御部（画像処理装置）として機能する。例えば、ＤＳＰ５は、固体撮像素子２より出力された未加工の画像データを、色調補正処理などを施し、ユーザが必要とする画像データに加工する。そして、加工した画像データを外部へ出力する。
【００３９】
なお、配線基板１上には、カメラモジュール１００を駆動するための各種電子部品（図示せず）が搭載されていてもよい。例えば、受光部２１の受光素子により変換された電気信号を増幅処理し、その電気信号をアナログ信号として出力する増幅回路部（アナログ信号回路部）、そのアナログ信号をデジタル信号に変換するアナログ／デジタル変換処理回路部、プログラムに従って各種演算処理を行うＣＰＵ，そのプログラムを格納するＲＯＭ，各処理過程のデータ等を格納するＲＡＭなどの電子部品を備えている。これらによって、カメラモジュール１００全体が制御される。
【００４０】
レンズホルダ３は、接着剤（図示せず）により、配線基板１上に固着されており、内部に固体撮像素子２を収容するとともに、内部にレンズユニット４を保持するものである。レンズホルダ３は、内部の下方に固体撮像素子２を収容（封止）するとともに、内部の上方にレンズユニット４を保持している。本実施形態では、レンズホルダ３は、樹脂製の筒状部材である。
【００４１】
レンズユニット４は、被写体像を形成する撮影光学系である。つまり、レンズユニット４は、被写体からの光を、固体撮像素子２に結像するための光学系である。カメラモジュール１００では、レンズユニット４が、レンズホルダ３の内部に保持される。このため、レンズユニット４のサイズが、レンズホルダ３のサイズよりも大きくなることはない。従って、カメラモジュール１００の小型化は、損なわれない。
【００４２】
カメラモジュール１００では、図１のように、レンズユニット４の外側面とレンズホルダ３の内側面とが互いに接触している（図１の破線で示す接触部Ｃ）。このため、レンズユニット４の外側面およびレンズホルダ３の内側面は、それぞれ、ねじ切りが施されている。このため、レンズユニット４を回転させて、レンズホルダ３の内側面に沿って、光路Ｐの方向（光軸方向）に、レンズユニット４を移動させることができる。これにより、固体撮像素子２とレンズユニット４との距離を調整し、ピント合わせが可能となる。レンズユニット４を移動させると、レンズホルダ３とレンズユニット４との接合部であるねじ切り部から、ゴミＤが発生する。このゴミＤは、画像不良の原因となる。カメラモジュール１００では、レンズユニット４に、画像不良の原因となるゴミＤの侵入を防ぐ対策が施されている。レンズユニット４の詳細な構成は、後述する。
【００４３】
なお、本実施形態では、レンズユニット４の移動方式は、螺子機構によるものであるが、電磁石を用いた電動方式であってもよい。
【００４４】
透光性部材６は、レンズユニット４の裏面（固体撮像素子２との対向面）に保持されている。透光性部材６は、レンズユニット４と固体撮像素子２との間に配置され、レンズホルダ３によって保持されている。透光性部材６は、少なくとも固体撮像素子２の受光部２１を覆うようになっている。透光性部材６は、透光性を有するガラスや樹脂などの透光性部材から構成されている。なお、透光性部材６には、固体撮像素子２に入射する赤外線をカットする赤外線カットフィルタ等の光学フィルタが形成されていてもよい。これにより、透光性部材６が、外部からの赤外線を遮断する機能を備えるようになる。
【００４５】
このようなカメラモジュール１００は、レンズユニット４を介して取り込まれた外部からの光を、透光性部材６を通して固体撮像素子２の内部に取り込み、固体撮像素子２の受光部２１に配置された受光素子によりイメージ画像を受光する。
【００４６】
なお、図１では、配線基板１上に形成されたＤＳＰ５が、レンズホルダ３に収容されていない。しかし、この構成に限定されるものではなく、ＤＳＰ５がレンズホルダ３に収容されていてもよい。また、ＤＳＰ５上に固体撮像素子２が積層された構造であってもよい。つまり、カメラモジュール１００は、ＤＳＰ５をレンズホルダ３内に内蔵していたり、固体撮像素子２とＤＳＰ５とが１チップで構成されたりする（ＤＳＰ５上に固体撮像素子２が配置されたスタック構造）場合もある。
【００４７】
ここで、カメラモジュール１００の特徴部分について説明する。カメラモジュール１００では、光路Ｐ（レンズ４１→透光性部材６→固体撮像素子２（受光部２１）の経路）上に存在する微小なゴミＤの影が、黒色の点やシミとして撮像画面に写し出される。その結果、画像不良が起こる。そこで、カメラモジュール１００では、レンズホルダ３とレンズユニット４との接触部Ｃから発生したゴミＤを、レンズユニット４の底部に溜めるようになっている。図２は、レンズユニット４の断面である。
【００４８】
図２のように、レンズユニット４は、複数（本実施形態では２枚）のレンズ４１と、レンズ４１を中央部に保持するレンズバレル（鏡筒）４２とを備えた構成である。レンズ４１およびレンズバレル４２は、いずれも、例えば、樹脂製とすることができる。レンズ４１の光軸は、レンズバレル４２の中心軸と一致している。
【００４９】
レンズバレル４２の側面は、レンズホルダ３との接触部であり、ねじ切りが施されている。レンズバレル４２は、底部に、フランジ部４３が形成されている。このフランジ部４３は、レンズホルダ３との接触部よりも外側に延設された部分である。つまり、フランジ部４３は、レンズバレル４２において、光路Ｐから離れる方向に延設された部分である。これにより、レンズユニット４とレンズホルダ３とが互いに接触して生じたゴミＤは、光路Ｐから離れたフランジ部４３上（つまり、フランジ部４３におけるレンズホルダ３との対向面）に溜まる。つまり、そのごみＤが、光路Ｐへ侵入するのを防ぐことができる。従って、ゴミＤによる画像不良を防止することができる。このように、カメラモジュール１００では、レンズバレル４２の形状が、鍔状となっており、ゴミＤ等の異物を受け止める構造となっている。
【００５０】
さらに、カメラモジュール１００は、レンズユニット４の外側面とレンズホルダ３の内側面とが互いに接触する構成である。このため、特許文献１の固体撮像装置のように、レンズユニットの形状が複雑にならない。つまり、レンズユニットを二重構造にする必要がない。従って、カメラモジュール１００では、ゴミ対策を行うためのレンズユニット４の構成を簡素化することができる。
【００５１】
図２では、フランジ部４３は、光路Ｐに対し垂直方向（固体撮像素子２の受光面に対し平行）に、延設されている。フランジ部４３の形状は、これに限定されるものではなく、光路Ｐから離れる方向に延設されていればよい。フランジ部４３は、固体撮像素子２よりも外側まで（固体撮像素子２を越えて）延設されていることが好ましい。これにより、たとえ、フランジ部４３の外縁からゴミＤが落下したとしても、固体撮像素子２（特に受光部２１）に、そのゴミＤが付着することはない。また、例えば、フランジ部４３は、レンズ４１側（上方）に傾斜して延設されていてもよい。
【００５２】
また、図２では、フランジ部４３は、レンズホルダ３との対向面に、レンズホルダ３側に突起した突起部４４が形成されていることが好ましい。突起部４４の形成部位は、レンズホルダ３との対向面上であれば、特に限定されるものではない。また、突起部４４の個数も限定されるものではない。
【００５３】
このように、フランジ部４３のゴミＤが溜まる面（ゴミＤの移動経路）に突起部４４が形成されていると、ゴミＤの移動経路の形状が、複雑になる。従って、フランジ部４３に溜まったゴミが、フランジ部４３から落下するのを防ぐことができる。言い換えれば、フランジ部４３に形成された突起部４４は、フランジ部４３からのゴミＤの落下を防ぐための堰（壁）として機能する。
【００５４】
しかも、図２では、突起部４４が、フランジ部４３の外縁部（外周部の全域）に形成されている。つまり、フランジ部４３によって、ゴミＤの受け皿構造が形成されている。これにより、フランジ部４３からゴミＤが落下する直前で、ゴミＤの落下を防ぐことができる。また、フランジ部４３でのゴミＤの捕獲をさらに効果的なものとすることができる。
【００５５】
また、本実施形態のカメラモジュール１００では、図１のように、レンズホルダ３は、フランジ部４３との対向面に、フランジ部４３側に突出した突出部３１を有している。つまり、レンズホルダ３には、ゴミＤの移動経路に向かって、突出部３１が形成されている。これにより、レンズユニット４に突起部４４が形成された場合と同様に、ゴミＤの移動経路の形状が、複雑になる。従って、フランジ部４３に溜まったゴミが、フランジ部４３から落下するのを防ぐことができる。
【００５６】
また、図１および図２のように、本実施形態のカメラモジュール１００では、フランジ部４３の裏面（底面）に、固体撮像素子２の受光部２１を覆ように、透光性部材６が設けられている。この構成では、フランジ部４３の裏面に直接透光性部材６が接着されているため、透光性部材６の表面（上面）へのゴミＤの侵入経路が絶たれることになる。従って、透光性部材６表面へのゴミＤの付着を防止することができる。
【００５７】
一方、レンズユニット４は、図３のような構成とすることもできる。図３は、レンズユニット４の別の構成を示す断面図である。図３のレンズユニット４では、フランジ部４３は、レンズホルダ３との対向面上に、粘着材７が塗布されている。つまり、フランジ部４３のゴミＤが溜まる面に、粘着材７が塗布されている。これにより、フランジ部４３に溜まったゴミＤを、粘着材７に付着させることができる。このため、フランジ部４３に、確実にゴミＤを溜めることができる。従って、ゴミによる画像不良を、長期的に防止することができる。また、固体撮像素子２へのゴミＤの侵入を確実に防ぐことができる。またこの場合も、フランジ部４３でのゴミＤの捕獲をさらに効果的なものとすることができる。
【００５８】
粘着材７は、特に限定されるものではないが、例えば、半固体状（または固体に近い状態）の油脂や樹脂を適用することができる。例えば、グリースが好適である。グリースは、半固体状または液体に近い、油脂の一種であり、例えば、半固体状（または固体に近い状態）、または、ペースト状の潤滑剤から構成することができる。グリースは、例えば、二硫化モリブデン系潤滑剤，白色系潤滑剤，シリコーン系潤滑剤，パーフルオロポリエーテル系潤滑剤などを用いることができる。また、グリースは、鉱油を主成分とする鉱油系グリース，ポリα−オレフィン油を主成分とするポリα−オレフィン系グリース，シリコーンオイルを主成分とするシリコーン系グリース，フルオロシリコーン系グリース，パーフルオロポリエーテルを主成分とするパーフルオロポリエーテル系グリースなどを用いることができる。これらのグリースは、単独または２種以上を混合して用いることができる。また、グリースは、例えば、リチウム石鹸，カルシウム石鹸，ポリテトラフルオロエチレン（ＰＴＦＥ）など、グリース用の添加物を含むものであってもよい。
【００５９】
なお、フランジ部４３に粘着材７を塗布しすぎたとしても、突起部４４が堰として機能する。このため、粘着材７がフランジ部４３から漏れ落ちない。
【００６０】
粘着材７の塗布量は、ゴミＤを付着させることができる程度であればよく、特に限定されるものではない。また、粘着材７の塗布量は、粘着材７の特性に応じて設定すればよい。また、ゴミＤが発生しやすい部分には、粘着材７を多めに塗布すればよい。
【００６１】
なお、粘着材７としてグリースを用いると、以下のような効果もある。
（ａ）グリースは、ゴミＤを付着させるだけではなく、グリースの塗布前に塗布位置に付着しているゴミＤをコーティングすること（塗りこむこと）ができる。
（ｂ）グリースは、流動性を有するため、塗布位置に浸透させやすい。
（ｃ）グリースは、特性（例えば、耐熱性，耐候性などの物性）の劣化が少ない。
（ｄ）無毒である。
（ｅ）グリースの組成を変えることによって、容易にグリースの特性を変更すること（例えば、粘度調整）が可能である。
（ｆ）メンテナンスが不要である。
【００６２】
また、カメラモジュール１００は、図４のような構成とすることもできる。図４は、本発明の別のカメラモジュール（固体撮像装置）１０１の断面図である。カメラモジュール１０１では、固体撮像素子２上に、固体撮像素子２の受光部２１を覆い、受光部２１との間に間隔Ｓを有して、透光性部材６が設けられている。
【００６３】
具体的には、カメラモジュール１００では、透光性部材６が、固体撮像素子２の受光部２１が形成された面に、受光部２１と対向して配置されている。つまり、透光性部材６は、受光部２１を覆うように設けられる。透光性部材６は、受光部２１の周囲に形成された接着部８により、固体撮像素子２上に接着される。透光性部材６は、受光部２１との間に、間隔（隙間・空隙）Ｓが形成されるように設けられている。接着部８は、受光部２１の周囲全域に形成されているため、この間隔Ｓは密閉空間となる。これにより、受光部２１への湿気の進入および塵埃の進入や付着等を防止することができ、受光部２１での不良の発生を防ぐことができる。
【００６４】
なお、接着部８は、例えば、シート状の接着剤を貼着し、フォトリソグラフィ技術で露光及び現像等の処理をすることにより、パターンニングされて形成される。このようにフォトリソグラフィ技術を用いれば、接着部８のパターンニングを高精度に行うことができる。また、シート状の接着剤を用いれば、接着部８の厚さを均一にすることができる。これにより、透光性部材６を受光部２１に対して高精度に接着することができる。
【００６５】
カメラモジュール１０１は、受光部２１および透光性部材６の間が中空となっているため、透光性部材６を透過した外部からの光は、そのまま受光部２１へ入射されることになり、光路途中での光損失を生じることがない。
【００６６】
このようなカメラモジュール１０１も、カメラモジュール１００と同様の効果を奏する。さらに、カメラモジュール１０１では、固体撮像素子２の受光部２１が、透光性部材６によって覆われる。このため、固体撮像素子２の受光部２１が露出されない。従って、固体撮像素子２の受光部２１へのゴミの侵入を防ぐことができる。
【００６７】
カメラモジュール１００・１０１は、まず、レンズユニット４をレンズホルダ３の下方から組込み、次いで、配線基板１にレンズホルダ３を接着硬化させることによって製造することができる。一方、従来のカメラモジュールは、配線基板にレンズホルダを接着硬化させたのち、レンズバレルをレンズホルダ上方から組込み、さらにピント合わせを行うことにより製造することができる。このため、本実施形態のカメラモジュール１００・１０１の製造方法は、従来の製造方法と工程順序が異なる。従って、従来の製造方法よりも、比較的容易に製造可能となる。
【００６８】
以上のように、カメラモジュール１００・１０１によれば、レンズユニット４の底部にフランジ部４３が形成されている。そして、フランジ部４３に、画像不良の原因となるゴミＤを溜めることができる。それゆえ、簡単な構成のレンズユニット４により、ゴミＤによる画像不良を防止しつつ、小型化を損なわないカメラモジュールを提供することができる。さらに、そのようなカメラモジュールを利用することで、信頼性を向上させた携帯機器（電子機器）を提供することができる。
【００６９】
なお、本実施形態のカメラモジュール１００・１０１は、固体撮像素子２とレンズユニット４との距離（いわゆる焦点距離）が略固定された、固定焦点型の固体撮像装置である。そして、ピント合わせのために、レンズユニット４をレンズホルダ３の内側面に沿って移動させて、この焦点距離を微調整するときに生じるゴミ対策について説明した。しかし、ピント合わせに限らず、オートフォーカス機能、ズーム機能、およびマクロ機能を実行する際にも、レンズユニット４がレンズホルダ３の内側面に沿って移動する。このため、これらの機能を実行する際にも、ゴミＤが生じる。このような場合に生じたゴミＤも、フランジ部４３に溜めることができる。
【００７０】
つまり、レンズユニット４の構成は、焦点距離が固定された固定焦点型の固体撮像装置に限らず、焦点距離が変動する変動焦点型の固体撮像装置にも適用することができる。
【００７１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７２】
本発明は、カメラ付き携帯電話、ディジタルスチルカメラ、監視やドアホンなどのセキュリティ用カメラなど、固体撮像装置を備えた各種撮像装置に適用することができる。
【図面の簡単な説明】
【００７３】
【図１】本発明のカメラモジュールの断面図である。
【図２】図１のカメラモジュールにおける、レンズユニットの断面図である。
【図３】図１のカメラモジュールにおける、別のレンズユニットの断面図である。
【図４】本発明の別のカメラモジュールの断面図である。
【図５】従来のカメラモジュールの断面図である。
【図６】特許文献１のカメラモジュールの断面図である。
【符号の説明】
【００７４】
１  配線基板
２  固体撮像素子
３  レンズホルダ
４  レンズユニット
５  ＤＳＰ
６  透光性部材
７  粘着材
８  接着剤
２１  受光部
３１  突出部
４１  レンズ
４２  レンズバレル
４３  フランジ部
４４  突起部
１００  カメラモジュール（固体撮像装置）
Ｃ  接触部
Ｄ  ゴミ
Ｐ  光路
Ｓ  空間
【図１】
2009145598.tif 000003
【図２】
2009145598.tif 000004
【図３】
2009145598.tif 000005
【図４】
2009145598.tif 000006
【図５】
2009145598.tif 000007
【図６】
2009145598.tif 000008